(57)【要約】      （修正有）【課題】胸ポケットに収納しなくても、収納状態に変形させた状態で、常時、携帯することが可能な手提げバッグを提供する。【解決手段】手提げバッグは、収容物を収容可能な使用状態と折り畳んだ収納状態とで変形可能なバッグ本体２と、バッグ本体２に取り付けられ、収納状態にあるバッグ本体２から露出するフック３と、を備える。【選択図】図２
0003227925.tif 000002
【実用新案登録請求の範囲】
【請求項１】
収容物を収容可能な使用状態と折り畳んだ収納状態とで変形可能なバッグ本体と、
前記バッグ本体に取り付けられ、前記収納状態にあるバッグ本体から露出するフックと、
を備える、
手提げバッグ。
【請求項２】
前記バッグ本体は、
柔軟性のある材料で形成され、前記収容物を収容可能な袋体と、
前記袋体から延出し、前記袋体を折り重ねた状態で巻いた前記収納状態に保つ舌片と、
を有し、
前記フックは、前記舌片の延出方向に沿う縁の延長線に交差するようにして、前記バッグ本体に取り付けられている、
請求項１記載の手提げバッグ。
【請求項３】
収納状態にある前記バッグ本体は、円柱状に形成され、
前記フックは、収納状態にある前記バッグ本体の中心軸方向の端部から突き出ている、
請求項１又は請求項２記載の手提げバッグ。
【請求項４】
前記フックは、
前記バッグ本体に取り付けられたリング状部と、
前記リング状部に対して回転可能に取り付けられたフック本体と、
を有する、
請求項１〜３のいずれか一項に記載の手提げバッグ。
【考案の詳細な説明】
【技術分野】
【０００１】
本考案は、手提げバッグに関し、より詳細には、使用状態と収納状態とで変形可能な手提げバッグに関する。
【背景技術】
【０００２】
特許文献１には、従来の手提げバッグ（特許文献１では「折り畳み式バッグ」）が記載されている。特許文献１記載の折り畳み式バッグは、山折り線と谷折り線とが格子状に形成されており、山折り線と谷折り線とに沿って折り畳むことで、矩形状のコンパクト体にすることができる。コンパクト体は、折り畳んだ状態で胸ポケットに収納することができるため、折り畳み式バッグを日常的に持ち歩くことができる。
【先行技術文献】
【特許文献】
【０００３】
【特許文献１】実登３２２５０９２号公報
【考案の概要】
【考案が解決しようとする課題】
【０００４】
しかしながら、上記特許文献１記載の折り畳み式バッグでは、常時携帯するには、コンパクト体を胸ポケットに収納する必要があるため、胸ポケットに対して、例えば、メモ帳、名刺入れ、ペン等を入れる際に邪魔になり、また、胸ポケットがないシャツには使用することができないという問題がある。
【０００５】
本考案は、上記事情に鑑みてなされ、胸ポケットに収納しなくても、収納状態に変形させた状態で、常時、携帯することが可能な手提げバッグを提供することを目的とする。
【課題を解決するための手段】
【０００６】
本考案に係る一態様の手提げバッグは、収容物を収容可能な使用状態と折り畳んだ収納状態とで変形可能なバッグ本体と、前記バッグ本体に取り付けられ、前記収納状態にあるバッグ本体から露出するフックと、を備える。
【０００７】
また、手提げバッグでは、上記態様において、前記バッグ本体は、柔軟性のある材料で形成され、前記収容物を収容可能な袋体と、前記袋体から延出し、前記袋体を折り重ねた状態で巻いた前記収納状態に保つ舌片と、を有し、前記フックは、前記舌片の延出方向に沿う縁の延長線に交差するようにして、前記バッグ本体に取り付けられている、ことが好ましい。
【０００８】
また、手提げバッグでは、上記態様において、収納状態にある前記バッグ本体は、円柱状に形成され、前記フックは、収納状態にある前記バッグ本体の中心軸方向の端部から突き出ていることが好ましい。
【０００９】
また、手提げバッグでは、上記態様において、前記フックは、前記バッグ本体に取り付けられたリング状部と、前記リング状部に対して回転可能に取り付けられたフック本体と、を有することが好ましい。
【考案の効果】
【００１０】
本考案に係る上記態様の手提げバッグは、胸ポケットに収納しなくても、収納状態に変形させた状態で、常時、携帯することができる、という利点がある。
【図面の簡単な説明】
【００１１】
【図１】図１（Ａ）は、本考案に係る一実施形態の手提げバッグの正面図である。図１（Ｂ）は、本考案に係る一実施形態の手提げバッグの背面図である。
【図２】図２（Ａ）〜（Ｅ）は、同上の手提げバッグを折り畳む過程を示す説明図である。
【図３】図３は、同上の手提げバッグのバッグ本体を収納状態にし、ネックストラップに引っ掛けた状態の正面図である。
【考案を実施するための形態】
【００１２】
＜実施形態＞
以下、本実施形態に係る手提げバッグ１について、詳細に説明する。
【００１３】
本実施形態に係る手提げバッグ１は、店舗での買い物等の際に、商品を入れて持ち運ぶことに繰り返し使用可能な買い物袋として用いられる、いわゆるエコバッグである。ここでいう「店舗」は、商品を販売する店であり、例えば、コンビニエンスストア、スーパーマーケット、ホームセンター、百貨店、飲食店、ドラッグストア、百円ショップ等が挙げられる。手提げバッグ１は、図１に示すように、バッグ本体２と、フック３と、を備える。
【００１４】
ここで、以下においては、説明の便宜上、図１のように方向を定義する。ただし、この方向の定義は、手提げバッグ１の使用態様を限定する趣旨ではない。
【００１５】
バッグ本体２は、手提げバッグ１の主体を構成する部分である。本実施形態に係るバッグ本体２は、コンビニエンスストア等で使用される買い物袋（いわゆるレジ袋）を模したサイズ及び形状に形成されている。ただし、本考案では、バッグ本体２は、レジ袋形状でなくてもよく、例えば、船底ランチバッグ形状、アーバントートバッグ形状、船底アーバントートバッグ形状、アーバンショルダー形状、クラッチバッグ形状等に形成されてもよく、形状には特に制限はない。バッグ本体２は、袋体２１と、一対の持ち手２２と、舌片２３と、を備える。
【００１６】
袋体２１は、収納物を収納可能な袋状の部分である。袋体２１は、柔軟性のある材料で形成されている。袋体２１の素材は、柔軟性があれば特に制限はないが、例えば、ポリエステル、ナイロン、不織布、コットン、デニム、キャンバス等が挙げられる。袋体２１は、正面視略矩形状に形成されており、上端に、収容物を通すための開口を有する。
【００１７】
ここで収容物とは、手提げバッグ１に収容し得る物を意味する。収容物は、例えば、店舗で購入された商品であり、飲食物、雑誌、医薬品等が挙げられる。
【００１８】
持ち手２２は、ユーザが手で把持することができる部分である。持ち手２２は、逆Ｕ字状に形成されており、持ち手２２の下端が、袋体２１の上端に対し、一体に形成されている。持ち手２２は、袋体２１の上端から上方向に突出している。一対の持ち手２２は、袋体２１の上端の左右方向の両端部に設けられており、左右方向に離れている。各持ち手２２の左右方向の幅寸法は、袋体２１の左右方向の幅寸法の１／３以下に形成されている。
【００１９】
舌片２３は、袋体２１に設けられており、袋体２１を収納状態（後に詳述する）に保持する。また、舌片２３は、袋体２１の開口を閉じる蓋としても機能する。舌片２３は、帯状に形成されており、長さ方向の一方の端部が袋体２１に対して固定されており、袋体２１から延出している。舌片２３と袋体２１との固定は、例えば、縫合、溶着、接着、ピン止め、一体成形等によって実現される。袋体２１の固定側の端部とは反対側の端部には、係止部２４が形成されている。
【００２０】
係止部２４は、被係止部２５に対して係り合うことで、相互に結合し得る部分である。係止部２４は、例えば、面ファスナ、ホック、ボタン、挿し込みベルト、ジッパー等が挙げられるが、保持力や扱いやすさの観点から、面ファスナであることが好ましい。被係止部２５は、本実施形態では、袋体２１の左右方向の中央でかつ上端部に形成されており、袋体２１が収納状態にあるときに、係止部２４に結合することで、袋体２１を収納状態に保つことができる。なお、舌片２３が蓋として機能する際の被係止部については図示を省略しているが、当該被係止部は、袋体２１の開口縁における舌片２３とは反対側の位置に取り付けられる。
【００２１】
舌片２３は、本実施形態では、袋体２１及び持ち手２２と同じ素材で形成されている。ただし、本考案では、舌片２３は、袋体２１及び持ち手２２と同じ素材でなくてもよく、収納状態にある袋体２１に沿ってたわむことができれば、柔軟性を有していなくてもよい。舌片２３は、袋体２１と同じ素材のほか、革、軟質樹脂、ゴム、ベルト等によって構成されてもよい。
【００２２】
このような構成のバッグ本体２は、図２（Ａ）〜（Ｅ）に示すように、使用状態と収納状態との間で変形させることができる。すなわち、バッグ本体２は、使用状態と収納状態とに変形可能に構成されている。ここでいう「使用状態」とは、収容物を収容可能な状態を意味し、例えば、図１に示す状態である。「収納状態」とは、折り畳んだ状態を意味し、例えば、図２（Ｅ）に示す状態である。
【００２３】
バッグ本体２は、図２（Ａ）（Ｂ）に示すように、袋体２１を、左右方向の幅寸法の１／３程度の寸法に折り重ね、図２（Ｃ）に示すように、袋体２１の下端を上方向に巻くことで収納状態とすることができる。この状態で、図２（Ｄ）に示すように、舌片２３の被係止部２５に対して係止部２４を結合することで、袋体２１を収納状態に保つことができる。この状態にあるバッグ本体２は、図２（Ｅ）に示すように、円柱状に形成されている。ここでいう「円柱状」は、大つかみの形状が円柱形状であることを意味し、数学上の厳密な「円柱」を意味するものではない。
【００２４】
フック３は、バッグ本体２に取り付けられている。フック３は、舌片２３の左右方向のいずれかの縁（舌片２３の延出方向に沿う縁のうちの右側の縁）の延長線に対し、交差するようにして取り付けられている。フック３は、収納状態にあるバッグ本体２を、図３に示すように、例えば、首に掛けるストラップ（ネックストラップ４）に引っ掛けることができる。フック３は、収納状態にあるバッグ本体２に対し、中心軸方向の端部から突き出ており、収納状態にあるバッグ本体２から露出する。フック３は、リング状部３１と、フック本体３２と、ラッチ３３と、を備える。
【００２５】
リング状部３１は、図１（Ｂ）に示すように、リング状に形成された部分であり、周方向に無端状に形成されている。リング状部３１は、周方向に連続していれば、例えば、楕円形状、新円状、略三角形状等に形成されてもよい。リング状部３１は、袋体２１の被係止部２５の左右方向の一方の端に取り付けられており、舌片２３の左右方向のいずれかの縁（ここでは右縁）の延長線に重なっている。
【００２６】
フック本体３２は、リング状部３１に対して、回転可能に取り付けられている。フック本体３２の回転軸は、左右方向に略平行である。フック本体３２は、ネックストラップ４等に引っ掛けることができる形状であれば特に制限はなく、例えば、略Ｌ字状、略逆Ｕ字状、略Ｓ字状、略逆Ｊ字状に形成される。本実施形態に係るフック本体３２は、略逆Ｊ字状に形成されている。
【００２７】
ラッチ３３は、フック本体３２の基端部に設けられており、フック３の先端と基端とをつなぐ。ラッチ３３は、弾性変形可能に形成されている。これによって、フック３をネックストラップ４に向かって移動させると、ラッチ３３が弾性変形しながら、ネックストラップ４がフック３内に入り、フック３がネックストラップ４に引っ掛けられる。一方、ラッチ３３の先端をフック３の先端から離れる方向に移動させることで、ネックストラップ４からフック３を外すことができる。
【００２８】
このように、本実施形態に係る手提げバッグ１は、バッグ本体２に取り付けられて、収納状態にあるバッグ本体２から露出するフック３を備えるため、図３に示すように、ネックストラップ４にフック３を引っ掛けて、ネックストラップ４に吊り下げておくことができる。この結果、ユーザは、手提げバッグ１を、胸ポケットに入れなくても、常時携帯することができる。このため、コンビニエンスストア等の店舗で、商品を購入した際に、素早く手提げバッグ１を利用でき、レジ袋が不要となる。
【００２９】
また、フック３が舌片２３の延出方向の縁の延長線に交差するようにバッグ本体２に取り付けられているため、使用状態においてフック３が邪魔になりにくい上に、収納状態において、フック３を露出させやすい。しかも、収納状態にあるバッグ本体２は円筒状であり、フック３は、中心軸に沿ってバッグ本体２から突き出ているため、例えば、ネックストラップ４から吊り下げても、見栄えが良い。
【００３０】
しかも、フック３がリング状部３１と、リング状部３１に回転可能に取り付けられたフック本体３２とを有するため、フック３をネックストラップ４等に引っ掛ける際や取り外す際に取り扱いが容易であり、ユーザは使い勝手がよい。
【００３１】
このような手提げバッグ１は、総重量が、２５ｇ以下であることが好ましく、より好ましくは、２３ｇ以下であり、更に好ましくは２１ｇ以下である。これによって、ネックストラップ４に吊り下げても、ユーザは重みを感じることがなく、肩が凝る等の疲れを感じにくい。
【００３２】
＜変形例＞
上記実施形態は、本考案の様々な実施形態の一つに過ぎない。実施形態は、本考案の目的を達成できれば、設計等に応じて種々の変更が可能である。以下、実施形態の変形例を列挙する。以下に説明する変形例は、適宜組み合わせて適用可能である。
【００３３】
上記実施形態に係る手提げバッグ１は、購入品を運ぶためのバッグを例示したが、本考案では、購入品を運ぶバッグに限らない。本考案に係る手提げバッグ１は、例えば、レンタル商品を運ぶためのカバン、移動時に荷物を運ぶカバン、又は通勤時に弁当を持ち運ぶポーチ等に用いられてもよい。
【００３４】
上記実施形態では、手提げバッグ１は、ネックストラップ４に吊り下げられたが、本考案では、ネックストラップ４でなくてもよく、ネックレス、胸ポケットの縁等に引っ掛けて、吊り下げてもよい。
【００３５】
本明細書にて、「略平行」、又は「略直交」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００３６】
また、本明細書において「端部」及び「端」等のように、「…部」の有無で区別した表現が用いられている。例えば、「端部」とは、「端」を含む一定の範囲を持つ部分を意味する。他の「…部」を伴った表現についても同様である。
【符号の説明】
【００３７】
１        手提げバッグ
２        バッグ本体
２１      袋体
２３      舌片
３        フック
３１      リング状部
３２      フック本体
【図１】
0003227925.tif 000003
【図２】
0003227925.tif 000004
【図３】
0003227925.tif 000005